(57)【特許請求の範囲】
【請求項１】
合成樹脂フィルムよりなる袋体において、その開口部側に幅の狭い狭窄通路のくびれ部を設け、このくびれ部の上方に前記狭窄通路より広幅の開口部を形成し、この広幅の開口部にチャックを設けると共に、袋体は横ガゼットを備え、この横ガゼットの上端が袋体の内部に突出しないよう、横ガゼットの折込幅Ｗ４を前記くびれ部の幅Ｗ１より広幅としたことを特徴とする合成樹脂製袋体。
【請求項２】
合成樹脂フィルムよりなる袋体において、その開口部側に幅が狭くなったくびれ部を設け、このくびれ部の上方に把持に必要な袋幅を確保する手指を差し込む把持穴を有する広幅の把手を形成し、前記くびれ部にはチャックを設けると共に、袋体は横ガゼットを備え、この横ガゼットの上端が袋体の内部に突出しないよう、横ガゼットの折込幅を前記くびれ部の幅Ｗ３より広幅としたことを特徴とする合成樹脂製袋体。
【発明の詳細な説明】
【０００１】
【発明の属する技術分野】
本発明は、袋体に包入されている内容物を周囲に散乱することなく取出しを可能とし、かつ開口部に設けたチャックの開口操作を容易にした合成樹脂製袋体に関するものである。
【０００２】
【従来の技術】
袋体に包入されている内容物を取出す際に、開口部を袋の全幅に渡って大きく開口すると速やかに取出しができるが、一挙に多量に流出するため周囲に散乱する。従って、容器に詰め替えするときには容器の外にこぼれるため、注意深く詰め替えしなくてはならない。
【０００３】
このような問題を解消するため、袋体の開口部を狭くした袋が実公昭５８−４２７５号、実開昭６１−１０７７４１号を始め数々提供されており、このように幅が狭くなった開口部にチャックを適用した袋も、特開昭５７−１２５１４７号、実開昭６０−１２０９２９号、実公平６−１７７２３号を始め数々提供されている。
【０００４】
【発明が解決しようとする課題】
前記実公昭５８−４２２７５号で問題点として指摘しているように、開口部が狭くなると開口操作がやり辛くなるという問題があり、特開昭５７−１２５１４７号、実開昭６０−１２０９２９号、実公平６−１７７２３号のように狭い開口部にチャックを適用すると、狭くすればする程チャックの開口に不便さを伴うということになる。
【０００５】
また、開口部が狭いチャック付袋体の別の問題点は、実公昭５６−４５３２４号に開示されているところであるが、すなわち、チャックを開放しようとする力によって、チャック部を含むチャック両端に位置する接合部が破れ易いという問題がある。すなわち破袋の問題である。
【０００６】
このような問題の発生を避けるためには、チャックを設けた開口部は、あまり狭くする訳にはいかず、従って、適量の取り出しを実現することが難しい情況にあった。
【０００７】
本発明の目的は、内容物の流動量を規制して適量の取り出しを可能とし、しかもチャックによる再開閉操作を容易にして、破袋の問題を解消した合成樹脂製袋を提供することである。
【０００８】
【課題を解決するための手段】
上記目的を達成するための本発明の構成は、請求項１に記載の通り、合成樹脂フィルムよりなる袋体において、その開口部側に幅の狭い狭窄通路のくびれ部を設け、このくびれ部の上方に前記狭窄通路より広幅の開口部を形成し、この広幅の開口部にチャックを設けると共に、袋体は横ガゼットを備え、この横ガゼットの上端が袋体の内部に突出しないよう、横ガゼットの折込幅Ｗ４を前記くびれ部の幅Ｗ１より広幅としたことを特徴とするものである。
【０００９】
また、請求項２に記載の通り、合成樹脂フィルムよりなる袋体において、その開口部側に幅が狭くなったくびれ部を設け、このくびれ部の上方に把持に必要な袋幅を確保する手指を差し込む把持穴を有する広幅の把手を形成し、前記くびれ部にはチャックを設けると共に、袋体は横ガゼットを備え、この横ガゼットの上端が袋体の内部に突出しないよう、横ガゼットの折込幅を前記くびれ部の幅Ｗ３より広幅としたことを特徴とするものである。
【００１０】
【発明の実施の形態】
以下本発明の実施の形態を図面に基づいて説明する。図１において、１は合成樹脂フィルムよりなる袋体であり、両側には横ガゼットを備えているものである。
【００１１】
前記袋体１の開口部側に幅の狭い狭窄通路２のくびれ部３を設け、このくびれ部３の上方に前記狭窄通路２の幅Ｗ１より広幅Ｗ２の開口部４を連続して形成し、この広幅Ｗ２の開口部４にチャック５を設けた構成である。尚、６はチャック５より上方に施した封緘シール部分を引き裂いて除去するための引き裂き手段である。
【００１２】
図例では、前記くびれ部３を設けるために袋体１の両肩部は凹円弧に形状しているが、凸円弧形状あるいは傾斜直線形状でもよい。
【００１３】
また、前記くびれ部３による狭窄通路２の幅Ｗ１は、内容物の取り出しの際の流動量を規制して散乱を防ぐために極力狭くすることであるが、内容物の性質に応じて大小設定する。例えば、固形物の場合は広幅とし、粒状物，顆粒状物等は中幅とし、粉状，粘性体，液体は小幅に設定する。
【００１４】
この狭窄通路２のくびれ部３の上方の広幅Ｗ２の開口部４にチャック５が設けられているため、開口部４は再開閉することができ、しかも、狭窄通路２の幅Ｗ１より広幅であるから、チャック５の開口操作が容易であり、チャック５の操作性を良好にしている。
【００１５】
また、広幅Ｗ２の開口部４に設けられるチャック５をチャックテープ５ａが形成されたものを用いた場合は、開口部４はチャック５のチャックテープ５ａによって袋体１の厚みより肉厚となり、これにより、いわゆる腰が強くなってチャック５の再開閉機能を向上すると共に、開口性及び開口保持性を向上して内容物の取り出しが容易になる。
【００１６】
図２は本発明の他の実施形態であり、前記の袋体１の構成に加えて、広幅Ｗ２の開口部４の上方に手指を差し込む把持穴８を有する把手７を連続して形成した構成である。
【００１７】
この図２で示す本発明の他の実施形態では、上記の作用に加えて、把持に必要な袋幅を確保し、持ち運びを便利にする。
【００１８】
尚、図１及び図２で示した袋体１は横ガゼットを備えた場合の実施形態であるが、この場合、横ガゼットの折り込み幅Ｗ４をくびれ部３の幅Ｗ１より広幅に設定とする。これにより、横ガゼットの上端は袋体１の内部に突出することがなく、内容物の出し入れの障害にならない。
【００１９】
また、図３で示すように、くびれ部３ａの幅Ｗ３が、内容物の適量取り出しが可能で、チャック５の開口操作が容易な広幅の場合にくびれ部３ａにチャック５を設け、くびれ部３ａの上方に把持に必要な袋幅を確保する手指を差し込む把持穴８を有する広幅の把手７を連続して形成することもできる。この場合も横ガゼットの上端が袋体の内部に突出しないよう、横ガゼットの折込幅を前記くびれ部３ａの幅Ｗ３より広幅となるように設定する。これにより横ガゼットの上端は前述の実施例と同様に袋体１の内部に突出することがなく、内容物の出し入れの障害にならない。
【００２０】
【発明の効果】
以上のように本発明によると、開口部側のくびれ部の狭窄通路の幅を内容物に応じて適宜狭くすることによって、内容物の取り出しの際の流動量を規制して散乱を防ぐ上に適量取り出しを可能とすると共に、チャックの開口操作が容易であり、また、破袋の問題を解消して再開閉を可能にした利点と、持ち運びを便利にする利点を有している。
【図面の簡単な説明】
【図１】本発明の袋体の正面図
【図２】本発明の袋体の他の実施形態を示す正面図
【図３】本発明の着想に基づく他の実施形態を示す正面図
【符号の説明】
１      袋体
２      狭窄通路
３      くびれ部
４      開口部
５      チャック
７      把手
８      把手穴
【図１】
0003658145.tif 000002
【図３】
0003658145.tif 000003
【図２】
0003658145.tif 000004